(57)【特許請求の範囲】
【請求項１】
機器取り付け用基板と背面板とを固定する基板固定ボルトを支持するボルト保持金具を、筐体内の背面板上に設けた電気機器収納用箱であって、
筐体内には、該機器取り付け用基板をボルト保持金具に固定する作業時に、機器取り付け用基板を、ボルト保持金具との固定高さで、仮置きできる仮置き用支持部材を備え、
該仮置き用支持部材は、機器取り付け用基板を仮置きする支持板部と、ボルト挿通孔を形成した垂直辺部と、前記支持板部の両側辺を下方に折り曲げた両側辺部と、該両側辺部から延設した当接部とを有し、
該当接部を筐体内の背面板、または、背面板上に設けたボルト保持金具と当接させるとともに、
該ボルト保持金具にボルト頭部を嵌合して固定された支持部材固定ボルトの軸部を、該仮置き用支持部材のボルト挿通孔に挿通して、該ボルト保持金具と該仮置き用支持部材とをナットで固定したことを特徴とする電気機器収納用箱。
【発明の詳細な説明】
【技術分野】
【０００１】
本発明は、電気機器収納用箱における機器取り付け用基板の取付け構造に関するものである。
【背景技術】
【０００２】
電気機器収納用箱では、内部に機器取り付け用の基板を備える構造が一般的である。機器取り付け用基板の取付構造としては、電気機器収納用箱の背面板に取付孔を透設して裏面から挿通したボルトをベースに設けたねじ挿通孔に挿通してナットで締めつけ固定するものがよく知られている。しかし、当該構造の電気機器収納用箱を屋外に設置した場合には、背面板の取付孔から雨水が侵入する懸念がある。これを解決するものとして、背面板にボルト保持金具を溶接して、ナットやボルトを取り付けたものがある。（例えば、特許文献1）ボルトを取り付けるには、ボルト保持金具にボルト頭部を嵌合してボルトを固定し、機器取り付け用基板をボルト保持金具上に載置し、機器取り付け用基板に透設したネジ挿通孔にボルトの軸部を挿通してネジ挿通孔から張出した軸部先端にナットを螺合して取付する技術が開示されている。
【０００３】
ところで、機器取り付け用基板に取り付ける機器重量が大きい場合、前記ボルト保持金具に機器取り付け用基板を固定する際の作業性が悪くなるが、当該作業性を改善する手段として、電気機器収納用箱の内部で、ボルト保持金具に固定する作業時に、機器取り付け用基板を仮置きしておくことができる仮置き用支持部材を、電気機器収納用箱の内部に溶接したり、電気機器収納用箱の床面に載置しておく構造が知られている。
【０００４】
しかし、仮置き用支持部材を電気機器収納用箱の内部に溶接する場合には、溶接作業の手間がかかる問題があり、仮置き部材を電気機器収納用箱の床面に載置しておく場合には、仮置き用支持部材が電気機器収納用箱の内部に固定されていないため、仮置きされた機器取り付け用基板がグラついてボルト保持金具との固定作業がしにくく作業性に欠く問題があった。
【先行技術文献】
【特許文献】
【０００５】
【特許文献１】実開平７−２０００４号公報
【発明の概要】
【発明が解決しようとする課題】
【０００６】
本発明の目的は前記の問題を解決し、背面板に機器取り付け用の基板を固定するボルト保持金具を備える電気機器収納用箱において、機器取り付け用の基板をボルト保持金具に固定する作業時に、機器取り付け用基板を仮置きしておくことができる仮置き用支持部材を、簡易かつ安定した構造で設ける技術を提供することである。
【課題を解決するための手段】
【０００７】
上記課題を解決するためになされた本発明の電気機器収納用箱は、機器取り付け用基板と背面板とを固定する基板固定ボルトを支持するボルト保持金具を、筐体内の背面板上に設けた電気機器収納用箱であって、筐体内には、該機器取り付け用基板をボルト保持金具に固定する作業時に、機器取り付け用基板を、ボルト保持金具との固定高さで、仮置きできる仮置き用支持部材を備え、該仮置き用支持部材は、機器取り付け用基板を仮置きする支持板部と、ボルト挿通孔を形成した垂直辺部と、前記支持板部の両側辺を下方に折り曲げた両側辺部と、該両側辺部から延設した当接部とを有し、該当接部を筐体内の背面板、または、背面板上に設けたボルト保持金具と当接させるとともに、該ボルト保持金具にボルト頭部を嵌合して固定された支持部材固定ボルトの軸部を、該仮置き用支持部材のボルト挿通孔に挿通して、該ボルト保持金具と該仮置き用支持部材とをナットで固定したことを特徴とするものである。
【発明の効果】
【０００９】
機器取り付け用基板と背面板とを固定する基板固定ボルトを支持するボルト保持金具を筐体内の背面板上に設けた電気機器収納用箱において、筐体内に、該機器取り付け用基板をボルト保持金具に固定する作業時に、機器取り付け用基板を、ボルト保持金具との固定高さで、仮置きできる仮置き用支持部材を備え、該仮置き用支持部材を、機器取り付け用基板を仮置きする支持板部と、ボルト挿通孔を形成した垂直辺部と、支持板部の両側辺を下方に折り曲げた両側辺部と、この両側辺部から延設した当接部とを有する構造とし、該当接部を筐体内の背面板、または、背面板上に設けたボルト保持金具と当接させるとともに、該ボルト保持金具にボルト頭部を嵌合して固定されたボルトの軸部を、該仮置き用支持部材のボルト挿通孔に挿通して、該ボルト保持金具と該仮置き用支持部材とをナットで固定する構造からなる本発明によれば、機器取り付け用基板と背面板とを固定するボルト保持金具を利用して、仮置き用支持部材も同時に固定することができるため、前記従来の問題を解消し、仮置き用支持部材を、簡易かつ安定した構造で設けることができる。
【図面の簡単な説明】
【００１０】
【図１】電気機器収納用箱の全体斜視図である。
【図２】図１の要部拡大図である。
【図３】図２の垂直断面図である。
【図４】仮置き用支持部材の全体斜視図である。
【図５】図２から機器取り付け用基板を取り外した状態図である。
【発明を実施するための形態】
【００１１】
以下に本発明の好ましい実施形態を示す。本発明の電気機器収納用箱１は、図１、図２に示すように、筐体内の背面板２上に機器取り付け用基板３を備えている。
【００１２】
機器取り付け用基板３は、図３に示すように、筐体内の背面板２の左右下端部に溶接されたボルト保持金具４上に、図５に示すボルトサポート用ナット１６を介して載置され、更に、ボルト保持金具４に頭部を嵌合させた機器取り付け用基板固定用ボルトの軸部５を、機器取り付け用基板３に透設したネジ挿通孔に挿通し、該ネジ挿通孔から張出した軸部５の先端に、機器取り付け用基板固定用ナット６を螺合して固定されている。
【００１３】
機器取り付け用基板３には、筐体外で各種機器が取り付けられ、重量が増した状態で、筐体内の背面板２上への前記固定作業が行われる。重量が増した機器取り付け用基板３を作業者が自力で保持しながら、前記の固定作業を行うには困難を伴うが、本発明では、図３に示すように、該作業時に、機器取り付け用基板３を、ボルト保持金具４との固定高さで、仮置きできる仮置き用支持部材７を筐体内に備えることにより、後述のように当該作業の作業性向上を図っている。
【００１４】
仮置き用支持部材７は、図４に示すように、鉄製の折り曲げ構造からなり、ボルト保持金具４に保持された仮置き用支持部材固定用ボルト８の軸部を挿通するボルト挿通孔９を形成した垂直辺部１０と、該垂直辺部１０の下部を前面側に水平に折り曲げ形成した支持板部１１と、支持板部１１の両側辺を下方に折り曲げた両側辺部１２からなり、該両側辺部１２には、前記垂直辺部１０よりも後方に延設した当接部１３が形成されている。
【００１５】
仮置き用支持部材７は、図３および図５に示すように、筐体内の背面板２上に溶接されたボルト保持金具４上に垂直辺部１０を載置し、垂直辺部１０に形成したボルト挿通孔９に、ボルト保持金具４に頭部１４を嵌合させた仮置き用支持部材固定用ボルト８の軸部を挿通して、ボルト挿通孔９から張出した軸部の先端に仮置き用支持部材固定用ナット１５を螺合して固定されている。
【００１６】
本発明では、筐体外で各種機器が取り付けられて重量が増した機器取り付け用基板３を、作業者は、まず、仮置き用支持部材７の支持板部１１に仮置きのみすればよく、その後は、支持板部１１上をスライドさせるだけで、従来は困難を伴っていた前記作業（機器取り付け用基板３のネジ挿通孔に、機器取り付け用基板固定用ボルトの軸部５を嵌合させる作業）を容易に完了することができる。更に、機器取り付け用基板３の重量をボルト保持金具４で受けているため、ネジ挿通孔から張出した軸部５の先端に機器取り付け用基板固定用ナット６を螺合時にも、作業者への負荷を軽減することができる。
【００１７】
本実施形態では、図３に示すように、該当接部１３を筐体内の背面板２に当接させ、各種機器が取り付けらた機器取り付け用基板３の全重量を、ボルト保持金具４上のみでなく、該当接部１３にも分散させる構造として、ボルト保持金具の取付け強度向上を図っている。なお、本実施形態では、当接部１３を筐体内の背面板２に当接させているが、他の実施形態として、当接部１３を、背面板上に設けたボルト保持金具に当接させて、間接的に筐体内の背面板２に当接するようにしてもよい。
【００１８】
また、本実施形態では、仮置き用支持部材７の支持板部１１は、該垂直辺部１０の下部を前面側に水平に折り曲げて形成しているが、他の実施形態として、垂直辺部１０に向かって下がる傾斜をつけてもよい。当該構造によれば、機器取り付け用基板３を支持板部１１上でスライドさせる作業を、より容易にすることができる。その他、支持板部１１の前端部に立ち上がり辺を設けて、支持板部１１から機器取り付け用基板３が落下するのを防止する構造とすることもできる。
【００１９】
なお、仮置き用支持部材固定用ナット１５を用いずに、仮置き用支持部材固定用ボルト８の軸部に、更に、機器取り付け用基板３に透設したネジ挿通孔を挿通して、該ネジ挿通孔から張出した軸部５の先端に機器取り付け用基板固定用ナット６を螺合して固定することもできる。
【００２０】
その他、本実施形態では、機器取り付け用基板３を筐体内の背面板２上に固定した後にも、仮置き用支持部材７は筐体内に保持されるものとして説明したが、ボルト挿通孔９の形状を、側部が開口する長孔とすることにより、機器取り付け用基板３を機器取り付け用基板固定用ボルトの軸部５に仮止めした後に、仮置き用支持部材固定用ナット１５をゆるめ、仮置き用支持部材７を取り外す構造とすることも可能である。
【符号の説明】
【００２１】
１  電気機器収納用箱
２  背面板
３  機器取り付け用基板
４  ボルト保持金具
５  機器取り付け用基板固定用ボルトの軸部
６  機器取り付け用基板固定用ナット
７  仮置き用支持部材
８  仮置き用支持部材固定用ボルト
９  ボルト挿通孔
１０  垂直辺部
１１  支持板部
１２  両側辺部
１３  当接部
１４  仮置き用支持部材固定用ボルトの頭部
１５  仮置き用支持部材固定用ナット
１６  ボルトサポート用ナット
【図１】
0005861173.tif 000002
【図２】
0005861173.tif 000003
【図４】
0005861173.tif 000004
【図５】
0005861173.tif 000005
【図３】
0005861173.tif 000006